(57)【特許請求の範囲】
【請求項１】
装置本体に回動可能に取り付けられた回動部材と、
前記回動部材の回転軸辺と対向する辺において、前記回動部材に回動可能に取り付けられ、操作者との接触による入力を検知する入力部と、
前記回動部材の前記本体への開閉状態に基づいて前記入力部の入力検知領域の位置を補正する補正部と、
前記装置本体と前記回動部材が成す第１の角と、前記回動部材と前記入力部が成す第２の角とを検出する角度検出部と、
を有し、
前記補正部は、前記第１の角および前記第２の角に基づいて前記入力部の入力検知領域の位置を補正することを特徴とする画像形成装置。
【請求項２】
請求項１に記載の画像形成装置において、
前記補正部は、前記第２の角から前記第１の角を減算した角に基づいて前記入力部の入力検知領域の位置を補正することを特徴とする画像形成装置。
【請求項３】
請求項１または請求項２に記載の画像形成装置において、
前記補正部は、前記第２の角から前記第１の角を減算した角が、所定の角度を中央値として該中央値から離れるに連れて前記入力部の入力検知領域の位置を移動させる前記補正量を大きくすることを特徴とする画像形成装置。
【請求項４】
請求項１から請求項３のいずれかに記載の画像形成装置において、
前記補正部は、
前記第２の角から前記第１の角を減算した角が所定の角度より小さい場合、前記入力検知領域の位置を前記入力装置の下方向へ移動し、
前記第２の角から前記第１の角を減算した角が所定の角度より大きい場合、前記入力検知領域の位置を前記入力装置の上方向へ移動することを特徴とする画像形成装置。
【請求項５】
請求項３または請求項４に記載の画像形成装置において、
前記所定の角度は、９０度であることを特徴とする画像形成装置。
【請求項６】
請求項１から請求項５のいずれかに記載の画像形成装置において、
前記補正部は、前記入力部の高さおよび前記操作者の目の高さに基づいて前記入力部の入力検知領域の位置を補正することを特徴とする画像形成装置。
【請求項７】
請求項６に記載の画像形成装置において、
前記補正部は、前記入力部の高さと、前記操作者の目の高さとの差が大きくなるに連れて前記入力部の入力検知領域の位置を移動させる前記補正量を大きくすることを特徴とする画像形成装置。
【請求項８】
請求項６または請求項７に記載の画像形成装置において、
前記補正部は、
前記入力部の高さが前記操作者の目の高さより高い場合、前記入力検知領域の位置を前記入力装置の下方向へ移動し、
前記入力部の高さが前記操作者の目の高さより低い場合、前記入力検知領域の位置を前記入力装置の上方向へ移動することを特徴とする画像形成装置。
【請求項９】
請求項６から請求項８のいずれかに記載の画像形成装置において、
前記補正部は、
前記第１の角および前記第２の角に基づく補正量と、前記入力部の高さおよび前記操作者の目の高さに基づく補正量とを加算した補正量で前記入力部の入力検知領域の位置を補正することを特徴とする画像形成装置。
【請求項１０】
請求項１から請求項９のいずれかに記載の画像形成装置において、
前記装置本体は、印刷部であり、
前記回動部材は、原稿読取部であることを特徴とする画像形成装置。
【発明の詳細な説明】
【技術分野】
【０００１】
本発明は、タッチパネルを有する操作表示部を備えた画像形成装置に関する。
【背景技術】
【０００２】
従来の画像形成装置は、入力操作を検知するタッチパネルを有する画面を備え、画面角度調整機能により、画面の角度が変更された場合において、各画面角度でされた入力の差分情報を画面角度に対応付けて記憶し、その差分情報を利用して入力の判断に利用する検知領域を変更するようにしている（例えば、特許文献１参照）。
【先行技術文献】
【特許文献】
【０００３】
【特許文献１】特開２００９−７５７７８号公報
【発明の概要】
【発明が解決しようとする課題】
【０００４】
しかしながら、従来の技術においては、操作部としてのタッチパネルが取り付けられた画像読取部を画像形成装置に対して回動させると、利用者にとってタッチパネルの角度がさらに変化するため、利用者はタッチパネルの入力検知領域を正しく触れることができず、利用者の利便性が低下するという問題がある。
本発明は、このような問題を解決することを課題とし、移動可能な入力部の入力検知領域を正しく触れられるようにし、利用者の利便性を向上させることを目的とする。
【課題を解決するための手段】
【０００５】
そのため、本発明は、装置本体に回動可能に取り付けられた回動部材と、前記回動部材の回転軸辺と対向する辺において、前記回動部材に回動可能に取り付けられ、操作者との接触による入力を検知する入力部と、前記回動部材の前記本体への開閉状態に基づいて前記入力部の入力検知領域の位置を補正する補正部と、前記装置本体と前記回動部材が成す第１の角と、前記回動部材と前記入力部が成す第２の角とを検出する角度検出部と、を有し、前記補正部は、前記第１の角および前記第２の角に基づいて前記入力部の入力検知領域の位置を補正することを特徴とする。
【発明の効果】
【０００６】
このようにした本発明は、移動可能な入力部の入力検知領域に正しく触れることができ、利用者の利便性を向上させることできるという効果が得られる。
【図面の簡単な説明】
【０００７】
【図１】第１の実施例におけるＭＦＰの構成を示すブロック図
【図２】第１の実施例におけるＭＦＰの外観斜視図
【図３】第１の実施例における角度検出部のセンサαが検出する角度の説明図
【図４】第１の実施例における角度検出部のセンサβが検出する角度の概略説明図
【図５】第１の実施例における角度検出部のセンサβが検出する角度の説明図
【図６】第１の実施例における角度（β−α）の説明図
【図７】第１の実施例における補正テーブルの説明図
【図８】第１の実施例における補正方向の説明図
【図９】第１の実施例における入力検知領域の説明図
【図１０】第１の実施例における入力検知領域補正処理の流れを示すフローチャート
【図１１】第１の実施例における入力検知処理の流れを示すフローチャート
【図１２】比較例における入力検知の説明図
【図１３】比較例における入力検知領域補正の説明図
【図１４】第１の実施例における入力検知領域補正の説明図
【図１５】第２の実施例におけるＭＦＰの構成を示すブロック図
【図１６】第２の実施例における入力装置の高さが異なる場合の説明図
【図１７】第２の実施例における入力装置の高さの説明図
【図１８】変形例における入力装置の高さの説明図
【図１９】第２の実施例における高さ補正テーブルの説明図
【図２０】第２の実施例における入力検知領域補正の説明図
【図２１】第２の実施例における入力検知領域補正処理の流れを示すフローチャート
【発明を実施するための形態】
【０００８】
以下、図面を参照して本発明による画像形成装置の実施例を説明する。
【実施例１】
【０００９】
図１は第１の実施例におけるＭＦＰの構成を示すブロック図である。
図１において、画像形成装置としてのＭＦＰ（ＭｕｌｔｉＦｕｎｃｔｉｏｎ  Ｐｅｒｉｐｈｅｒａｌ：複合機）１は、利用者の操作を受付ける入力装置を備えたものである。
ＭＦＰ１は、入力装置１０と、本体制御部２０と、印刷部３０と、原稿読取部４０とを有している。本実施例において、原稿読取部４０は、印刷部３０に設けられた回転軸を中心に回動可能に取り付けられ、また入力装置１０は、原稿読取部４０に設けられた回転軸を中心に回動可能に取り付けられ、角度が調整可能になっている。
【００１０】
入力装置１０は、表示部１１と、入力情報処理部１２と、入力受付部１３と、パネル処理制御部１４と、ＲＯＭ（Ｒｅａｄ  Ｏｎｌｙ  Ｍｅｍｏｒｙ）１５と、ＲＡＭ（Ｒａｎｄｏｍ  Ａｃｃｅｓｓ  Ｍｅｍｏｒｙ）１６と、角度検出部１７とを有している。
表示部１１は、ＭＦＰ１の状態等の各種情報や利用者の入力操作を受付ける操作ボタンを表示するものであり、表示手段としてのＬＣＤ（Ｌｉｑｕｉｄ  Ｃｒｙｓｔａｌ  Ｄｉｓｐｌａｙ：液晶ディスプレイ）１１１を備えたものである。
【００１１】
入力情報処理部１２は、入力情報受付部１３で受付けた情報を処理するものであり、検知領域補正部１２１を有している。
補正部としての検知領域補正部１２１は、角度検出部１７が検出した角度に基づいて表示部１１のＬＣＤ１１１に表示された操作ボタンにおいて入力操作を受付ける入力検知領域を表す入力検知領域情報を補正、即ち入力装置１０の入力検知領域の位置を補正するものである。この検知領域補正部１２１は、入力検知領域情報を補正する補正テーブル１２１１を有している。なお、補正テーブル１２１１の詳細は後述する。
【００１２】
入力受付部１３は、利用者の入力操作を受付ける入力手段としてのタッチパネル１３１およびハードキー１３２とを有している。タッチパネル１３１は、ＬＣＤ１１１に重ねて配置され、ＬＣＤ１１１に表示された操作ボタン等に対応する入力検知領域が利用者の操作により触れられたことを検知し、触れられた座標を入力検知情報として出力するものである。ハードキー１３２は、利用者の入力操作を受付ける数字キー（テンキー）、スタートキー、ファンクションキー、カーソル移動キー等である。
【００１３】
パネル処理制御部１４は、ＣＰＵ（Ｃｅｎｔｒａｌ  Ｐｒｏｃｅｓｓｉｎｇ  Ｕｎｉｔ）等の制御手段を備え、ＲＯＭ１５に格納された制御プログラム（ソフトウェア）に基づいて入力装置１０全体の動作を制御するものである。
ＲＯＭ１５は、不揮発性の記憶部であり、パネル処理制御部１４によって実行される制御プログラムを記憶するものである。
ＲＡＭ１６は、揮発性の記憶部であり、パネル処理制御部１４によって制御プログラムが実行されるときに発生するデータを記憶するものである。
【００１４】
角度検出部１７は、印刷部３０と原稿読取部４０とが成す第１の角としての角度αを検出するセンサα１７１と、原稿読取部４０と入力装置１０とが成す第２の角としての角度βを検出するセンサβ１７２と有している。
本体制御部２０は、ＣＰＵ等の制御手段を備え、記憶部に格納された制御プログラムに基づいてＭＦＰ１全体の動作を制御するものである。
印刷部３０は、感熱記録方式や電子写真方式を用いたプリンタ等である。
原稿読取部４０は、ＣＣＤ（Ｃｈａｒｇｅ  Ｃｏｕｐｌｅｄ  Ｄｅｖｉｃｅ）センサ等を用いたスキャナ装置であり、原稿を読取り、原稿の画像データとしてドットイメージデータを生成するものである。
【００１５】
図２は第１の実施例におけるＭＦＰの外観斜視図である。
図２において、ＭＦＰ１は、入力装置１０と、印刷部３０と、原稿読取部４０とを有している。入力装置１０は、ＭＦＰ１の操作面である前面側に設けられている。また、原稿読取部４０は、印刷部３０の上方に配設されている。
【００１６】
回動部材としての原稿読取部４０は、装置本体としての印刷部３０に設けられた回転軸に回動可能に取り付けられている。回転軸は、印刷部３０の入力装置１０と反対側の後面側に設けられており、原稿読取部４０は、操作面側を上下動させることにより印刷部３０に対して開閉することができるように構成されている。この原稿読取部４０を上方へ回動させることにより、印刷部３０を操作することができるようになり、紙詰まり等の異常の除去を行うことができるようになっている。
【００１７】
入力部としての入力装置１０は、操作者との接触による入力を検知するものであり、原稿読取部４０に設けられた回転軸に回動可能に取り付けられ、原稿読取部４０に対して回動自在に構成されている。操作者は、入力装置１０を操作し、原稿読取部４０に対して回動させることができるようになっている。
印刷部３０に対して回動可能な原稿読取部４０と、印刷部３０とが成す角度αは、図１に示す角度検出部１７のセンサα１７１で検出することが可能になっており、また原稿読取部４０に対して回動可能な入力装置１０と、原稿読取部４０とが成す角度βは、図１に示す角度検出部１７のセンサβ１７２で検出することが可能になっている。
【００１８】
原稿読取部４０と印刷部３０とが成す角度αとは、原稿読取部４０の底面と印刷部３０の上面とが成す角度であり、原稿読取部４０が印刷部３０に対して閉塞した状態（原稿読取部４０の底面と印刷部３０の上面とが対向し、平行な状態）を基準（０度）とした角度である。
また、入力装置１０と原稿読取部４０とが成す角度βとは、入力装置１０のタッチパネル１３１（図１に示すＬＣＤ１１１の表示面）と、原稿読取部４０の底面が成す角度である。
【００１９】
図３は第１の実施例における角度検出部のセンサαが検出する角度の説明図である。なお、図３はＭＦＰ１の外観斜視図である。
図３（ａ）は、原稿読取部４０が印刷部３０に対して回動し、印刷部３０を閉塞した状態を示し、図１に示す角度検出部１７のセンサα１７１は、原稿読取部４０と印刷部３０とが成す角度αを０度として検出する。
【００２０】
図３（ｂ）は、原稿読取部４０が印刷部３０に対して図中矢印Ａが示す方向に回動し、印刷部３０の一部を開放した状態を示し、図１に示す角度検出部１７のセンサα１７１は、原稿読取部４０と印刷部３０とが成す角度αを０度より大きいα１度として検出する。
図３（ｃ）は、原稿読取部４０が印刷部３０に対して図中矢印Ａが示す方向に回動し、印刷部３０を開放した状態を示し、図１に示す角度検出部１７のセンサα１７１は、原稿読取部４０と印刷部３０とが成す角度αをα１度より大きいα２度として検出する。
【００２１】
図４および図５は第１の実施例における角度検出部のセンサβが検出する角度の説明図である。なお、図４（ａ）はＭＦＰ１の外観斜視図、図４（ｂ）および図５はＭＦＰ１の概略側面図である。
図４は、入力装置１０のタッチパネル１３１（操作面）が原稿読取部４０の底面に対して回動している状態を示し、図１に示す角度検出部１７のセンサβ１７２は、入力装置１０と原稿読取部４０とが成す角度βを検出する。なお、角度βは、入力装置１０と原稿読取部４０の底面４０ａとが成す角度のうち、原稿読取部４０の底面４０ａの反対側の角度である。
【００２２】
さらに、図５（ａ）は、入力装置１０のタッチパネル１３１（操作面）が原稿読取部４０の底面に対して垂直になっている状態を示し、図１に示す角度検出部１７のセンサβ１７２は、入力装置１０と原稿読取部４０とが成す角度βを９０度として検出する。
図５（ｂ）は、入力装置１０のタッチパネル１３１を上方にして原稿読取部４０の底面に対して傾斜している状態を示し、図１に示す角度検出部１７のセンサβ１７２は、入力装置１０と原稿読取部４０とが成す角度βを例えば４５度として検出する。
【００２３】
図５（ｃ）は、入力装置１０のタッチパネル１３１を下方にして原稿読取部４０の底面に対して傾斜している状態を示し、図１に示す角度検出部１７のセンサβ１７２は、入力装置１０と原稿読取部４０とが成す角度βを例えば１３５度として検出する。
図６は第１の実施例における角度（β−α）の説明図である。
本実施例では、図１に示す検知領域補正部１２１が、図３〜図５で説明した角度βから角度αを減算して算出した角度（β−α）に基づいて入力検知領域情報を補正する。角度（β−α）は、原稿読取部４０を印刷部３０に対して閉塞した状態における原稿読取部４０の底面と、入力装置１０のタッチパネル１３１（操作面）とが成す角度である。
【００２４】
図６（ａ）は、角度α＝０度、角度β＝４５度であり、角度（β−α）＝４５度を示している。
図６（ｂ）は、角度α＝４５度、角度β＝１３５度であり、角度（β−α）＝９０度を示している。
図６（ｃ）は、角度α＝９０度、角度β＝４５度であり、角度（β−α）＝（−４５）度を示している。
【００２５】
図７は第１の実施例における補正テーブルの説明図である。
図７において、補正テーブル１２１１は、図１に示す検知領域補正部１２１により保持され、ＲＯＭ１５等に記憶される情報であり、角度（β―α）１２１１ａと、補正量Ｄ１２１１ｂとにより構成されている。
角度（β―α）１２１１ａは、図１に示す角度検出部１７のセンサα１７１が検出した角度αおよびセンサβ１７２が検出した角度βに基づいて算出される角度である。本実施例では、図１に示す角度検出部１７のセンサβ１７２が検出した角度βからセンサα１７１が検出した角度αを減算した角度であり、図６に示すように、原稿読取部４０を印刷部３０に対して閉塞した状態における原稿読取部４０の底面と、入力装置１０のタッチパネル１３１（操作面）とが成す角度としている。
【００２６】
補正量Ｄ１２１１ｂは、角度（β―α）１２１１ａに対応させた図１に示す入力装置１０のタッチパネル１３１の入力検知領域を補正する数値である。本実施例では、角度（β―α）１２１１ａは、−４５度から１３５度までの範囲の角度であるものとし、例えば１度毎に補正量Ｄ１２１１ｂの数値（（＋６）ｍｍから（−２）ｍｍ）を対応させるものとする。
【００２７】
このように、補正テーブル１２１１は、図１に示す角度検出部１７のセンサα１７１が検出した角度αおよびセンサβ１７２が検出した角度βに基づいて算出される角度（例えば、角度β―角度α））に対応させてタッチパネル１３１の入力検知領域を補正する数値を記憶している。
【００２８】
本実施例では、補正テーブル１２１１は、角度（β―α）１２１１ａが９０度を中央値として該中央値から離れるに連れてタッチパネル１３１の入力検知領域の位置を移動させる補正量Ｄ１２１１ｂの数値が大きくなるように構成されている。
また、補正テーブル１２１１の補正量Ｄ１２１１ｂは、角度（β―α）１２１１ａが９０度より小さい場合、タッチパネル１３１の入力検知領域の位置をタッチパネル１３１の下方向へ移動し、角度（β―α）１２１１ａが９０度より大きい場合、タッチパネル１３１の入力検知領域の位置をタッチパネル１３１の上方向へ移動するように構成されている。
【００２９】
補正量Ｄ１２１１ｂの数値の符号は、図８（ａ）に示すように、プラスがタッチパネル１３１の下方、マイナスがタッチパネル１３１の上方に、入力検知領域を移動させることを示している。即ち、補正量Ｄ１２１１ｂの数値の符号は、図８（ｂ）に示すように、プラスがタッチパネル１３１の印刷部３０側、マイナスがタッチパネル１３１の印刷部３０の反対側に、入力検知領域を移動させることを示している。
【００３０】
図９は第１の実施例における入力検知領域の説明図である。図９（ａ）は入力検知領域を補正する前の入力装置１０のＬＣＤ１１１（タッチパネル１３１）を示し、図９（ｂ）は入力検知領域をプラス方向に補正した後の入力装置１０のＬＣＤ１１１（タッチパネル１３１）を示している。
補正する前の入力検知領域は、図９（ａ）に示すように、「はい」操作ボタンの入力検知領域１１１ａが、「はい」操作ボタンの表示領域と一致し、また「いいえ」操作ボタンの入力検知領域１１１ｂが、「いいえ」操作ボタンの表示領域と一致している。
【００３１】
補正した後の入力検知領域は、図９（ｂ）に示すように、「はい」操作ボタンの入力検知領域１１１ｃが、「はい」操作ボタンの表示領域と補正量Ｄを保持して図中矢印Ｂが示す入力装置１０の回動方向における下方に移動するように補正し、また「いいえ」操作ボタンの入力検知領域１１１ｄが、「いいえ」操作ボタンの表示領域と補正量Ｄを保持して図中矢印Ｂが示す入力装置１０の回動方向における下方に移動するように補正している。
【００３２】
入力検知領域の位置を補正する補正量Ｄは、図１に示す角度検出部１７のセンサα１７１が検出した角度αおよびセンサβ１７２が検出した角度βに基づいて図７に示す補正テーブル１２１１の補正量Ｄ１２１１ｂにより決定される。このとき、補正量Ｄ１２１１ｂがプラスの場合、図８および図９（ｂ）における矢印Ｂの＋方向に入力検知領域の位置を補正し、補正量Ｄ１２１１ｂがマイナスの場合、図８および図９（ｂ）における矢印Ｂの−方向に入力検知領域の位置を補正する。
【００３３】
なお、補正後の入力検知領域は、ＬＣＤ１１１上に表示されないが、補正後の入力検知領域内が操作者により触れられたことを検知して当該操作ボタンが選択されたことを検知する。
このように、本実施例では、図１に示す角度検出部１７のセンサα１７１が検出した角度αおよびセンサβ１７２が検出した角度βに基づいてタッチパネル１３１の入力検知領域の位置を、図８および図９（ｂ）中の矢印Ｂが示す入力装置１０の回動方向における下方向または上方向に、移動するように補正する。
【００３４】
上述した構成の作用について説明する。
まず、入力装置が行う入力検知領域補正処理を図１０の第１の実施例における入力検知領域補正処理の流れを示すフローチャートの図中Ｓで表すステップに従って図１を参照しながら説明する。なお、この入力検知領域補正処理は、センサα１７１またはセンサβ１７２が角度αまたは角度βの変化を検出すると起動されるものとする。
【００３５】
Ｓ１０１：入力装置１０の角度検出部１７は、パネル処理制御部１４の指示により、センサα１７１により印刷部３０と原稿読取部４０とがなす角度αを検出し、センサβ１７２により原稿読取部４０と入力装置１０とがなす角度βを検出する。
パネル処理制御部１４は、角度検出部１７が検出した角度αまたは角度βと、前回の処理で検出した角度αまたは角度βとを比較し、角度検出部１７が検出した角度αまたは角度βに変化があったか否かを判定し、変化があったと判定すると処理をＳ１０２へ移行し、変化がないと判定すると本処理を終了する。
【００３６】
Ｓ１０２：角度検出部１７が検出した角度αまたは角度βに変化があったと判定したパネル処理制御部１４は、角度検出部１７のセンサα１７１が検出した角度αおよびセンサβ１７２が検出した角度βに基づいてタッチパネル１３１の入力検知領域の補正量を取得する。
具体的には、パネル処理制御部１４は、入力情報処理部１２の検知領域補正部１２１により、角度αから角度βを減算し、求められた角度に基づいて図７に示す補正テーブル１２１１の角度（β―α）１２１１ａを検索し、求められた角度に対応する補正量Ｄ１２１１ｂの値を取得する。
【００３７】
Ｓ１０３：パネル処理制御部１４は、取得した補正量に基づいて検知領域補正部１２１により、入力装置１０のＬＣＤ１１１（タッチパネル１３１）の入力検知領域の位置を補正し、本処理を終了する。
次に、入力装置が行う入力検知処理を図１１の第１の実施例における入力検知処理の流れを示すフローチャートの図中Ｓで表すステップに従って図１を参照しながら説明する。
【００３８】
Ｓ２０１：入力装置１０の入力受付部１３は、パネル処理制御部１４の指示により、タッチパネル１３１で触れられたことを検知すると、触れられたタッチパネル１３１のＸ座標とＹ座標を取得する。
Ｓ２０２：入力受付部１３は、取得したＸ座標とＹ座標が上述した入力検知領域補正処理で補正された後の入力検知領域内であるか否かを判定する。入力受付部１３は、取得したＸ座標とＹ座標が入力検知領域内であると判定すると処理をＳ２０３へ移行し、入力検知領域内でないと判定すると本処理を終了する。
【００３９】
Ｓ２０３：取得したＸ座標とＹ座標が入力検知領域内であると判定した入力受付部１３は、当該入力検知領域に対応する操作ボタンが触れられた旨をパネル処理制御部１４へ通知する。パネル処理制御部１４は、通知された操作ボタンに応じた処理を行い、本処理を終了する。
図１２（ａ）に示すように、角度（β−α）が９０度の場合において、操作者がタッチパネル１３１に触れるとき、操作者が手指で触れようとする位置と、タッチパネル１３１が手指の接触を検知する位置は、領域８１となり、略一致している。そのため、タッチパネル１３１は、入力検知領域に操作者の手指の接触があったことを検知することができる。
【００４０】
一方、図１２（ｂ）に示すように、角度（β−α）が４５度等の場合において、操作者がタッチパネル１３１に触れるとき、タッチパネル１３１が手指の接触を検知する位置は、例えば領域８２となり、操作者が手指で触れようとする位置とのずれが生じてしまう。これは、操作者の手指の先端でなく、腹の部分がタッチパネル１３１に接触してしまうためである。そのため、タッチパネル１３１は、入力検知領域に操作者の手指の接触があったことを検知することができないことがある。
【００４１】
このような問題を解決するため、図１３に示すように、入力装置１０の原稿読取部４０に対する回動角γに基づいて入力検知領域の位置を補正するようにした場合、図１３に（ａ）示すように、操作者は所望の入力検知領域の位置に触れることができるようになるが、図１３（ｂ）に示すように、原稿読取部４０を印刷部３０に対して回動させたとき、操作者にとって入力装置１０のタッチパネル１３１の角度が変化し、操作者は所望の入力検知領域の位置に触れることが困難になってしまう。
【００４２】
そこで、本実施例では、図１４に示すように、角度検出部１７のセンサα１７１が検出した角度αおよびセンサβ１７２が検出した角度βに基づいてタッチパネル１３１の入力検知領域の位置を、図８および図９（ｂ）中の矢印Ｂが示す入力装置１０の回動方向における下方向または上方向に、移動するように補正するようにしたことにより、印刷部３０および原稿読取部４０に対して回動可能な入力装置１０のタッチパネル１３１の入力検知領域に正しく触れることができ、利用者の利便性を向上させることできる。
【００４３】
以上説明したように、第１の実施例では、印刷部に対する原稿読取部の角度および原稿読取部に対する入力装置の角度に応じて入力装置の入力検知領域の位置を補正するようにしたことにより、利用者は入力検知領域に正しく触れることができるようになり、利用者の利便性を向上させることできるという効果が得られる。
【実施例２】
【００４４】
第２の実施例の構成は、第１の実施例のＭＦＰの入力装置の構成に、入力装置の高さに応じて入力検知領域の位置を補正する補正テーブルを追加している。その第２の実施例の構成を図１５の第２の実施例におけるＭＦＰの構成を示すブロック図に基づいて説明する。なお、上述した第１の実施例と同様の部分は、同一の符号を付してその説明を省略する。
【００４５】
図１５において、検知領域補正部１２１は、第１の実施例で説明した補正テーブル１２１１と、入力装置１０の高さおよび操作者の目の高さに応じて入力検知領域の位置を補正する高さ補正テーブル１２１２とを有している。なお、高さ補正テーブル１２１２の詳細は後述する。
【００４６】
図１６に示すように、例えば角度（β−α）が９０度であっても、図１６（ａ）と比較して、図１６（ｂ）に示すように入力装置１０の高さが高い場合、操作者の手指の先端でなく、腹の部分がタッチパネル１３１に接触してしまうことがあるため、タッチパネル１３１は、入力検知領域に操作者の手指の接触があったことを検知することができないことがある。
そこで、本実施例では、入力装置１０の高さに応じて入力検知領域の位置を補正するようにしている。
【００４７】
図１７は第２の実施例における入力装置の高さの説明図である。
図１７において、入力装置１０のタッチパネル１３１の高さｈｍは、ＭＦＰ１を載置する台の高さｈｂと、印刷部３０の高さｈｐと、入力装置１０のタッチパネル１３１の印刷部３０からの高さｈｔとを加算した高さになる。
高さｈｔは、原稿読取部４０の回転軸と直交する方向の長さｌｓと、角度αとから算出することができ、長さｌｓ×ｓｉｎαで算出することができる。なお、本実施例では、高さｈｔを印刷部３０の上面から入力装置１０の回転支点までの高さとして説明するが、印刷部３０の上面から入力装置１０のタッチパネル１３１の中央部の高さ等としても良い。
【００４８】
また、図１８に示すように、ＭＦＰ１の印刷部３０と原稿読取部４０との間に、空間としての高さｈｓを設けた場合、入力装置１０のタッチパネル１３１の高さｈｍは、ＭＦＰ１を載置する台の高さｈｂと、印刷部３０の高さｈｐと、印刷部３０と原稿読取部４０との間の高さｈｓと、タッチパネル１３１の印刷部３０からの高さｈｔとを加算した高さになる。
【００４９】
さらに、本実施例では、ＭＦＰ１を載置する台の高さｈｂと、印刷部３０の高さｈｐと、原稿読取部４０の回転軸と直交する方向の長さｌｓと、操作者の目の高さｔｈとを予め記憶部に記憶しておくものとする。このＭＦＰ１を載置する台の高さｈｂ、印刷部３０の高さｈｐ、原稿読取部４０の回転軸と直交する方向の長さｌｓ、および目の高さｔｈは、操作者の設定操作により入力装置１０のタッチパネル１３１で入力操作を受付けて記憶部に設定されるものとする。
【００５０】
図１９は第２の実施例における高さ補正テーブルの説明図である。
図１９において、高さ補正テーブル１２１２は、図１５に示す検知領域補正部１２１により保持され、ＲＯＭ１５等に記憶される情報であり、高さ（ｈｍ―ｔｈ）１２１２ａと、補正量Ｅ１２１２ｂとにより構成されている。
高さ（ｈｍ―ｔｈ）１２１２ａは、図１７および図１８に示す高さｈｍから操作者の目の高さｔｈに基づいて算出される高さである。本実施例では、図１７および図１８に示す高さｈｍから操作者の目の高さｔｈを減算した高さである。
【００５１】
補正量Ｅ１２１２ｂは、高さ（ｈｍ―ｔｈ）１２１２ａに対応させた図１５に示す入力装置１０のタッチパネル１３１の入力検知領域を補正する数値である。本実施例では、高さ（ｈｍ―ｔｈ）１２１２ａは、＋５０ｃｍから−５０ｃｍまでの範囲の高さであるものとし、例えば１ｃｍ毎に補正量Ｅ１２１２ｂの数値（（＋２）ｍｍから（−２）ｍｍ）を対応させるものとする。
【００５２】
このように、高さ補正テーブル１２１２は、図１７および図１８に示す高さｈｍから操作者の目の高さｔｈに基づいて算出される高さに対応させてタッチパネル１３１の入力検知領域を補正する数値を記憶している。
本実施例では、高さ補正テーブル１２１２は、高さ（ｈｍ―ｔｈ）１２１２ａの絶対値（高さｈｍと操作者の目の高さｔｈとの差）が大きくなるに連れてタッチパネル１３１の入力検知領域の位置を移動させる補正量Ｅ１２１２ｂの数値が大きくなるように構成されている。
【００５３】
また、高さ補正テーブル１２１２の補正量Ｅ１２１２ｂは、高さｈｍが操作者の目の高さｔｈより高い場合、タッチパネル１３１の入力検知領域の位置をタッチパネル１３１の下方向へ移動し、高さｈｍが操作者の目の高さｔｈより低い場合、タッチパネル１３１の入力検知領域の位置をタッチパネル１３１の上方向へ移動するように構成されている。
なお、補正量Ｅ１２１２ｂの数値の符号は、図８（ａ）に示すように、プラスがタッチパネル１３１の下方、マイナスがタッチパネル１３１の上方に、入力検知領域を移動させることを示している。即ち、補正量Ｅ１２１２ｂの数値の符号は、図８（ｂ）に示すように、プラスがタッチパネル１３１の印刷部３０側、マイナスがタッチパネル１３１の印刷部３０の反対側に、入力検知領域を移動させることを示している。
【００５４】
本実施例では、図２０（ａ）に示すように、高さｈｍ＜操作者の目の高さｔｈの場合、タッチパネル１３１が操作者の目の高さより下に位置するため、操作者はタッチパネル１３１を見下ろすように操作する。したがって、タッチパネル１３１の入力検知領域の位置を、図８および図９（ｂ）中の矢印Ｂが示す入力装置１０の回動方向における上方向に移動するように補正する。
【００５５】
また、図２０（ｂ）に示すように、高さｈｍ＞操作者の目の高さｔｈの場合、タッチパネル１３１が操作者の目の高さより上に位置するため、操作者はタッチパネル１３１を見上げるように操作する。したがって、タッチパネル１３１の入力検知領域の位置を、図８および図９（ｂ）中の矢印Ｂが示す入力装置１０の回動方向における下方向に移動するように補正する。
【００５６】
上述した構成の作用について説明する。
入力装置が行う入力検知領域補正処理を図２１の第２の実施例における入力検知領域補正処理の流れを示すフローチャートの図中Ｓで表すステップに従って図１５を参照しながら説明する。なお、この入力検知領域補正処理は、センサα１７１またはセンサβ１７２が角度αまたは角度βの変化を検出すると起動されるものとする。
Ｓ３０１、Ｓ３０２：図１０に示すＳ１０１、Ｓ１０２と同様の処理であるため、その説明を省略する。
【００５７】
Ｓ３０３：パネル処理制御部１４は、設定されている高さｈｍから操作者の目の高さｔｈに基づいてタッチパネル１３１の入力検知領域の補正量を取得する。
具体的には、パネル処理制御部１４は、入力情報処理部１２の検知領域補正部１２１により、高さｈｍから操作者の目の高さｔｈを減算し、求められた高さ（ｈｍ―ｔｈ）に基づいて図１９に示す高さ補正テーブル１２１２の高さ（ｈｍ―ｔｈ）１２１２ａを検索し、求められた高さ（ｈｍ―ｔｈ）に対応する補正量Ｅ１２１２ｂの値を取得する。
【００５８】
Ｓ３０４：パネル処理制御部１４は、Ｓ３０２において取得した補正量Ｄに、Ｓ３０３において取得した補正量Ｅを加算して算出した補正量に基づいて検知領域補正部１２１により、入力装置１０のＬＣＤ１１１（タッチパネル１３１）の入力検知領域の位置を補正し、本処理を終了する。
なお、入力装置が行う入力検知処理は第１の実施例と同様なのでその説明を省略する。
【００５９】
このように、本実施例では、入力装置１０の高さおよび利用者の目の高さに基づいてタッチパネル１３１の入力検知領域の位置を、図８および図９（ｂ）中の矢印Ｂが示す入力装置１０の回動方向における下方向または上方向に、移動するように補正するようにしたことにより、印刷部３０および原稿読取部４０に対して回動可能な入力装置１０のタッチパネル１３１の入力検知領域を正しく触れられることができ、利用者の利便性を向上させることできる。
【００６０】
以上説明したように、第２の実施例では、第１の実施例の効果に加え、入力装置の高さおよび利用者の目の高さに応じて入力装置の入力検知領域の位置を補正するようにしたことにより、利用者は入力検知領域ぬ正しく触れることができるようになり、利用者の利便性を向上させることできるという効果が得られる。
なお、第１の実施例および第２の実施例では、画像形成装置をＭＦＰとして説明したが、それに限られるものでなく、角度調整可能な入力装置を有するものであれば、プリンタ、ファクシミリ装置、複写機等であっても良い。
【符号の説明】
【００６１】
１    ＭＦＰ
１０  入力装置
１１  表示部
１２  入力情報処理部
１３  入力受付部
１４  パネル処理制御部
１５  ＲＯＭ
１６  ＲＡＭ
１７  角度検出部
２０  本体制御部
３０  印刷部
４０  原稿読取部
１１１  ＬＣＤ
１２１  検知領域補正部
１２１１  補正テーブル
１２１２  高さ補正テーブル
１３１  タッチパネル
１３２  ハードキー
１７１  センサα
１７２  センサβ
【図１】
0006417240.tif 000002
【図２】
0006417240.tif 000003
【図３】
0006417240.tif 000004
【図４】
0006417240.tif 000005
【図５】
0006417240.tif 000006
【図６】
0006417240.tif 000007
【図７】
0006417240.tif 000008
【図８】
0006417240.tif 000009
【図９】
0006417240.tif 000010
【図１０】
0006417240.tif 000011
【図１１】
0006417240.tif 000012
【図１２】
0006417240.tif 000013
【図１３】
0006417240.tif 000014
【図１４】
0006417240.tif 000015
【図１５】
0006417240.tif 000016
【図１６】
0006417240.tif 000017
【図１７】
0006417240.tif 000018
【図１８】
0006417240.tif 000019
【図１９】
0006417240.tif 000020
【図２０】
0006417240.tif 000021
【図２１】
0006417240.tif 000022